(57)【特許請求の範囲】
【請求項１】
格納データをファイルシステムにより管理し、アクセス装置からデータの読み出し、書き込みが可能な情報記録媒体であって、
データが記録され、独立したファイルシステムにより管理される１つ以上の記録領域と、
前記１つ以上の記録領域の数の違いにより生じるカード種別と、前記１つ以上の記録領域のうち現在選択されている領域との組み合わせ毎に割り当てられ、前記情報記録媒体が取り得る前記組み合わせから一意に前記カード種別と前記領域の選択状態を判別可能とするステートを保持するステート格納部と、
前記情報記録媒体が取り得るステートの数だけ設けられ、少なくとも前記記録領域の容量に関する物理的な特性を格納する媒体情報格納部と
を具備することを特徴とする情報記録媒体。
【請求項２】
前記記録領域及び前記媒体情報格納部の数はそれぞれ１であり、
前記ステート格納部に保持されたステートの取得、解釈が可能なアクセス装置からアクセスされた場合、前記記録領域の全領域に対するアクセスを許可し、
前記ステート格納部に保持されたステートの取得、解釈が不可能なアクセス装置からアクセスされた場合、前記記録領域に対するアクセスを禁止することを特徴とする請求項１に記載の情報記録媒体。
【請求項３】
前記記録領域の数は１であり、
前記媒体情報格納部は第１の媒体情報格納部と第２の媒体情報格納部とを有し、
前記情報記録媒体は、第１のステートまたは第２のステートを取ることが可能であり、
前記情報記録媒体が第１のステートである場合、前記第１の媒体情報格納部をアクセス装置から参照可能とし、前記第１の媒体情報格納部に格納されている物理的な特性に応じて前記記録領域へのアクセスを許可し、
前記情報記録媒体が第２のステートである場合、前記第２の媒体情報格納部をアクセス装置から参照可能とし、前記第２の媒体情報格納部に格納されている物理的な特性に応じて前記記録領域へのアクセスを許可する
ことを特徴とする請求項１に記載の情報記録媒体。
【請求項４】
前記記録領域は第１の記録領域と第２の記録領域を有し、
前記媒体情報格納部は第１の媒体情報格納部と第２の媒体情報格納部を有し、
前記情報記録媒体は、第１のステートまたは第２のステートを取ることが可能であり、
前記情報記録媒体が第１のステートである場合、前記第１の媒体情報格納部をアクセス装置から参照可能とし、前記第１の媒体情報格納部に格納されている物理的な特性に応じて前記第１の記録領域へのアクセスを許可し、
前記情報記録媒体が第２のステートである場合、前記第２の媒体情報格納部をアクセス装置から参照可能とし、前記第２の媒体情報格納部に格納されている物理的な特性に応じて前記第２の記録領域へのアクセスを許可する
ことを特徴とする請求項１に記載の情報記録媒体。
【請求項５】
前記記録領域は第１の記録領域と第２の記録領域を有し、
前記媒体情報格納部は、第１の媒体情報格納部と、第２の媒体情報格納部と、第３の媒体情報格納部とを有し、
前記ステート格納部に保持され得るステートの数は３であり、
前記情報記録媒体が第１のステートにある場合、前記第１の媒体情報格納部をアクセス装置から参照可能とし、前記第１の媒体情報格納部に格納されている物理的な特性に応じて前記第１の記録領域へのアクセスを許可し、
前記情報記録媒体が第２のステートにある場合、前記第２の媒体情報格納部をアクセス装置から参照可能とし、前記第２の媒体情報格納部に格納されている物理的な特性に応じて前記第２の記録領域へのアクセスを許可し、
前記情報記録媒体が第３のステートにある場合、前記第３の媒体情報格納部をアクセス装置から参照可能とし、前記第３の媒体情報格納部に格納されている物理的な特性に応じて前記第１の記録領域及び第２の記録領域の双方へのアクセスを許可する
ことを特徴とする請求項１に記載の情報記録媒体。
【請求項６】
さらに、情報記録媒体の転送レートに関するアクセス性能を示す性能情報を情報記録媒体のステート毎に格納する性能情報格納部を、前記ステート格納部に保持されるステートの数と同数だけ備えることを特徴とする請求項１記載の情報記録媒体。
【請求項７】
前記性能情報格納部に格納された性能情報のうち、情報記録媒体のステートに対応する性能情報のみをアクセス装置から参照可能とすることを特徴とする請求項６に記載の情報記録媒体。
【請求項８】
前記性能情報格納部に格納された性能情報の全ては、情報記録媒体のステートに関わらず、アクセス装置から参照可能とすることを特徴とする請求項６に記載の情報記録媒体。
【請求項９】
前記ステート格納部は物理スイッチであることを特徴とする請求項１に記載の情報記録媒体。
【請求項１０】
独立したファイルシステムにより管理される１つ以上の記録領域を有する情報記録媒体にアクセスするアクセス装置であって、
前記情報記録媒体を装着する媒体スロットと、
ユーザからの指示を受けとる操作部と、
前記情報記録媒体やアクセス装置の状態、ユーザが指定可能な処理の一覧等を表示する表示部と、
前記１つ以上の記録領域の数の違いにより生じるカード種別と、前記１つ以上の記録領域のうち現在選択されている領域との組み合わせ毎に割り当てられ、前記情報記録媒体が取り得る前記組み合わせから一意に前記カード種別と前記領域の選択状態を判別可能とするステートを前記情報記録媒体から取得し、該取得したステートに基づいて前記情報記録媒体のカード種別、前記領域の選択状態を判定するステート判定部と、
前記ステート判定部の判定結果を参照し、前記情報記録媒体のステートに応じた処理を実行するステート依存処理部と、
前記操作部からの入力に応じて、前記情報記録媒体に対し、データの読み出しもしくは書き込み処理を含む所定の処理を実施するメイン処理部と
を備えたことを特徴とするアクセス装置。
【請求項１１】
前記ステート判定部は、情報記録媒体のカード種別、情報記録媒体のアクセス領域、情報記録媒体の容量、情報記録媒体の取り得るステート数、ステート切り替え時のフォーマットの要否、及びファイルシステムの種別をステート毎に含むステート一覧表を具備することを特徴とする請求項１０に記載のアクセス装置。
【請求項１２】
前記情報記録媒体から、前記ステートに加えてさらに、転送レートに関する情報記録媒体のアクセス性能を示す性能情報を取得することを特徴とする請求項１０記載のアクセス装置。
【請求項１３】
前記情報記録媒体から、情報記録媒体のステートに対応する性能情報のみを取得することを特徴とする請求項１２に記載のアクセス装置。
【請求項１４】
前記情報記録媒体から、情報記録媒体のステートに関わらず全ての性能情報を取得することを特徴とする請求項１２に記載のアクセス装置。
【請求項１５】
アクセス装置に、独立したファイルシステムにより管理される１つ以上の記録領域を有する情報記録媒体が装着されたときに、前記情報記録媒体を初期化するステップと、
前記情報記録媒体から、前記１つ以上の記録領域の数の違いにより生じる情報記録媒体のカード種別と、前記１つ以上の記録領域のうち現在選択されている領域との組み合わせ毎に割り当てられ、前記情報記録媒体が取り得る前記組み合わせから一意に前記カード種別と前記領域の選択状態を判別可能とするステートを取得するステップと、
前記アクセス装置に対するユーザの処理要求が前記ステートに依存する要求であるか否かを判定するステップと、
該判定結果に基づき、前記処理要求がステートに依存する場合、前記取得したステートを参照して、情報記録媒体に対し、情報記録媒体のステートに応じた処理を実行するステップと
を有することを特徴とする情報記録媒体の処理方法。
【請求項１６】
前記情報記録媒体から、情報記録媒体の転送レートに関するアクセス性能を示す性能情報を取得するステップを含むことを特徴とする請求項１５記載の情報記録媒体の処理方法。
【請求項１７】
情報記録媒体と、該情報記録媒体に対してデータの書き込み、読み出しを行うアクセス装置とを含む情報記録システムであって、
前記情報記録媒体は、
データが記録され、独立したファイルシステムにより管理される１つ以上の記録領域と、
前記１つ以上の記録領域の数の違いにより生じるカード種別と、前記１つ以上の記録領域のうち現在選択されている領域との組み合わせ毎に割り当てられ、前記情報記録媒体が取り得る前記組み合わせから一意に前記カード種別と前記領域の選択状態を判別可能とするステートを保持するステート格納部と、
前記情報記録媒体が取り得るステートの数だけ設けられ、少なくとも前記記録領域の容量に関する物理的な特性を格納する媒体情報格納部とを備え、
前記アクセス装置は、
ユーザからの指示を受けとる操作部と、
前記ステートを前記情報記録媒体から取得し、該取得したステートに基づいて前記情報記録媒体のカード種別、領域の選択状態を判定するステート判定部と、
前記ステート判定部の判定結果を参照し、前記情報記録媒体のステートに応じた処理を実行するステート依存処理部と、
前記操作部からの入力に応じて、前記情報記録媒体に対し、データの読み出しもしくは書き込み処理を含む所定の処理を実施するメイン処理部とを備えた
ことを特徴とする情報記録システム。
【発明の詳細な説明】
【技術分野】
【０００１】
本発明は複数の種別や状態を有するメモリカードのような情報記録媒体に関する。また、本発明は、種別が異なる複数の情報記録媒体や、複数の状態を有する情報記録媒体にアクセスするアクセス装置及び情報記録媒体の処理方法に関する。
【背景技術】
【０００２】
音楽コンテンツや映像データ等のデジタルデータを記録する記録媒体には、磁気ディスク、光ディスク、光磁気ディスク等、様々な種類が存在する。これらの記録媒体の１つであるメモリカードは、記録素子としてFlash ROM等の半導体メモリを主に使用しており、記録媒体の小型化が図れることから、デジタルスチルカメラや携帯電話端末等、小型の携帯機器を中心に急速に普及しつつある。
【０００３】
メモリカードに格納されたデータはファイルシステムにより管理されており、ユーザは格納されたデータをファイルとして容易に取り扱うことができる。従来使用されているファイルシステムには、ＦＡＴファイルシステム（非特許文献１参照）や、UDFファイルシステム（Universal Disk Format）（非特許文献２参照）、NTFSファイルシステム（New Technology File System）等が存在する。これらのファイルシステムによりデータが管理されたメモリカードは、同一のファイルシステムを解釈する機器間でファイルを共有することができるため、機器間でデータを授受することが可能となる。
【０００４】
近年、メモリカードが普及するにつれ、当初主流であった音楽コンテンツ、静止画コンテンツの記録媒体としての用途から、大容量高画質動画コンテンツの記録へとその応用用途は広がりつつある。そのため、このようなニーズに応えるべく、年々倍化する勢いでメモリカードの大容量化が進んでいる。しかしながら、メモリカードの内部レジスタに格納されているカード容量を表現するフィールドのビット長や、コマンドでアドレスを指定する引数のビット幅等には限界があり、メモリカードの大容量化に対応するためには、従来のレジスタ構成やコマンド等を拡張する必要がある。また、同様にファイルシステムにも管理可能な容量の上限が存在するため、従来のファイルシステムが管理可能な容量の上限を超えた大容量メモリカードの領域を管理するために、新しいファイルシステムを使用する必要がある。
【０００５】
従来、このような問題を解決する方法として、メモリカード内の領域を複数に分割し、各領域を切り替えて使用することにより、レジスタやコマンド等の物理的な上限容量、ファイルシステムの上限容量を超えることなく、メモリカードの大容量化を図る方法が提案されている（例えば、特許文献１参照）。
【特許文献１】特開２００４−８６５０３号公報
【非特許文献１】ISO／IEC９２９３，“Information Technology−Volume and file structure of disk cartridges for information”，1994
【非特許文献２】OSTA Universal Disk Format Specification Revision 1.50, 1997
【発明の開示】
【発明が解決しようとする課題】
【０００６】
しかしながら、従来の方法ではメモリカード内の領域を複数に分割し、個々の領域を独立したファイルシステムにより管理するため、メモリカード全容量を１領域として扱うことができず、作成可能なファイルの最大サイズ、ディレクトリ構成が制限されるという課題が生じる。この課題を解決するため、メモリカードの容量を変更可能とする方法が考えられる。すなわち、従来のアクセス装置でアクセス可能な上限容量と、メモリカードの最大容量とのいずれかをメモリカードに設定し、メモリカードを使用するユーザの用途に適した容量でメモリカードを使用することを可能とする。
【０００７】
このようにメモリカードの大容量化を実現するための手段は複数種類存在するため、将来的に、それぞれの実現手段を用いて作られた複数種類のメモリカードが市場に混在する可能性がある。
【０００８】
この場合、アクセス装置は、メモリカードに対して、領域切り替えが可能なのか、容量変更が可能なのか、現在のカード状態はどのように設定されているのか等、メモリカードの種別、状態を把握する必要がある。しかし、従来のアクセス装置では、メモリカードの種類を判別することはできず、そのため、アクセス装置は各メモリカードの種別、状態に応じた適切な処理を提供することができないという問題が生じる。
【０００９】
本発明では上記問題点に鑑み、メモリカードのような情報記録媒体の種別、状態を一意に判別可能な情報記録媒体、並びに、情報記録媒体の種別、状態を判別し各情報記録媒体に応じた処理を実施するアクセス装置及び情報記録媒体の処理方法を提供することを目的とする。
【課題を解決するための手段】
【００１０】
本発明に係る情報記録媒体は、格納データをファイルシステムにより管理し、アクセス装置からデータの読み出し、書き込みが可能な情報記録媒体である。情報記録媒体は、データが記録され、独立したファイルシステムにより管理される１つ以上の記録領域と、１つ以上の記録領域の数の違いにより生じるカード種別と１つ以上の記録領域のうち現在選択されている領域との組み合わせ毎に割り当てられ、情報記録媒体が取り得る組み合わせから一意に現状の情報記録媒体のカード種別と領域の選択状態を判別可能とするステートを保持するステート格納部と、情報記録媒体が取り得るステートの数だけ設けられ、少なくとも記録領域の容量に関する物理的な特性を格納するカード情報格納部とを具備する。
【００１１】
第１のタイプの情報記録媒体は、記録領域及びカード情報格納部の数がそれぞれ１であってもよい。その場合、ステート格納部に保持されたステートの取得、解釈が可能なアクセス装置からアクセスされた場合、記録領域の全領域に対するアクセスを許可し、ステート格納部に保持されたステートの取得、解釈が不可能なアクセス装置からアクセスされた場合、記録領域に対するアクセスを禁止するようにしてもよい。
【００１２】
第２のタイプの情報記録媒体は、記録領域の数が１であり、カード情報格納部が第１のカード情報格納部と第２のカード情報格納部とを有してもよく、さらに、情報記録媒体は、第１のステートまたは第２のステートを取ることが可能であってもよい。このとき、情報記録媒体が第１のステートである場合、第１のカード情報格納部をアクセス装置から参照可能とし、第１のカード情報格納部に格納されている物理的な特性に応じて前記記録領域へのアクセスを許可し、情報記録媒体が第２のステートである場合、第２のカード情報格納部をアクセス装置から参照可能とし、第２のカード情報格納部に格納されている物理的な特性に応じて前記記録領域へのアクセスを許可する。
【００１３】
第３のタイプの情報記録媒体は、記録領域が第１の記録領域と第２の記録領域を有し、カード情報格納部が第１のカード情報格納部と第２のカード情報格納部を有し、さらに、情報記録媒体は第１のステートまたは第２のステートを取ることが可能であってもよい。このとき、情報記録媒体が第１のステートである場合、第１のカード情報格納部をアクセス装置から参照可能とし、第１のカード情報格納部に格納されている物理的な特性に応じて前記第１の記録領域へのアクセスを許可し、情報記録媒体が第２のステートである場合、第２のカード情報格納部をアクセス装置から参照可能とし、第２のカード情報格納部に格納されている物理的な特性に応じて第２の記録領域へのアクセスを許可する。
【００１４】
第４のタイプの情報記録媒体は、記録領域が第１の記録領域と第２の記録領域を有し、カード情報格納部が、第１のカード情報格納部と、第２のカード情報格納部と、第３のカード情報格納部とを有し、ステート格納部に保持され得るステートの数は３であってもよい。このとき、情報記録媒体が第１のステートにある場合、第１のカード情報格納部をアクセス装置から参照可能とし、第１のカード情報格納部に格納されている物理的な特性に応じて第１の記録領域へのアクセスを許可してもよい。情報記録媒体が第２のステートにある場合、第２のカード情報格納部をアクセス装置から参照可能とし、第２のカード情報格納部に格納されている物理的な特性に応じて第２の記録領域へのアクセスを許可してもよい。情報記録媒体が第３のステートにある場合、第３のカード情報格納部をアクセス装置から参照可能とし、第３のカード情報格納部に格納されている物理的な特性に応じて第１の記録領域及び第２の記録領域の双方へのアクセスを許可してもよい。
【００１５】
さらに、情報記録媒体の転送レートに関するアクセス性能を示す性能情報を情報記録媒体のステート毎に格納する性能情報格納部を、ステート格納部に保持されるステートの数と同数だけ備えてもよい。
【００１６】
ステート格納部は物理スイッチで構成してもよい。
【００１７】
本発明に係るアクセス装置は、独立したファイルシステムにより管理される１つ以上の記録領域を有する情報記録媒体にアクセスするアクセス装置であって、情報記録媒体を装着するカードスロットと、ユーザからの指示を受けとる操作部と、情報記録媒体やアクセス装置の状態、ユーザが指定可能な処理の一覧等を表示する表示部と、１つ以上の記録領域の数の違いにより生じるカード種別と、１つ以上の記録領域のうち現在選択されている領域との組み合わせ毎に割り当てられ、情報記録媒体が取り得る組み合わせから、一意にカード種別と領域の選択状態を判別可能とするステートを情報記録媒体から取得し、取得したステートに基づいて情報記録媒体のカード種別及び領域の選択状態を判定するステート判定部と、ステート判定部の判定結果を参照し、情報記録媒体のステートに応じた処理を実行するステート依存処理部と、操作部からの入力に応じて、メモリカードに対し、データの読み出しもしくは書き込み処理を含む所定の処理を実施するメイン処理部と具備する。
【００１８】
本発明に係る情報記録媒体の処理方法は、アクセス装置に、独立したファイルシステムにより管理される１つ以上の記録領域を有する情報記録媒体が装着されたときに、情報記録媒体を初期化するステップと、情報記録媒体から、１つ以上の記録領域の数の違いにより生じる情報記録媒体のカード種別、１つ以上の記録領域のうち現在選択されている領域との組み合わせ毎に割り当てられ、情報記録媒体が取り得る組み合わせから一意にカード種別と前記領域の選択状態を判別可能とするステートを取得するステップと、アクセス装置に対するユーザの処理要求がステートに依存する要求であるか否かを判定するステップと、判定結果に基づき、処理要求がステートに依存する場合、取得したステートを参照して、情報記録媒体に対し、情報記録媒体のステートに応じた処理を実行するステップとを有する。
【発明の効果】
【００１９】
本発明によれば、メモリカードのような情報記録媒体の種別、状態を一意に判別可能な識別子を情報記録媒体内に格納し、アクセス装置が識別子を取得して情報記録媒体の種別、状態に応じて処理内容を変更することにより、各情報記録媒体に応じた適切な処理をユーザに提供することが可能となる。
【００２０】
【００２１】
【発明を実施するための最良の形態】
【００２２】
以下、本発明に係る情報記録媒体、アクセス装置及び情報記録媒体の処理方法の実施形態について、図面を参照しつつ説明する。
【００２３】
（実施の形態１）
図１は本発明の実施の形態１におけるメモリカード、及びアクセス装置の構成図である。アクセス装置１は、メモリカードを装着する部位であるカードスロット１１、アクセス装置１が実行する処理をユーザが指定するためのボタン等の操作部１２、ユーザに提供する操作メニューの一覧やメモリカードに格納されているファイルの一覧等を表示する表示部１３、メモリカードからステートを取得しメモリカードの種別、状態を判定するステート判定部１４、操作部１２からの入力に応じてメモリカードに対する様々な処理を実施するメイン処理部１５を含む。
【００２４】
メイン処理部１５は更に、ステート判定部１４のステート判定結果を参照しステート毎に異なる処理を実行するステート依存処理部１６を含む。本発明のアクセス装置１はこのようにステート判定部１４とステート依存処理部１６を備え、メモリカードの種別、状態（ステート）を判定し、各メモリカードに応じた適切な処理をユーザに提供する点に特徴がある。
【００２５】
アクセス装置１には、デジタルスチルカメラや携帯電話端末、メモリカードムービー、オーディオプレーヤ、ＰＣ、ＰＤＡ等の、メモリカードにアクセスする機能を持った装置が含まれる。
【００２６】
＜種々のタイプのメモリカード＞
メモリカードについて説明する。図１に示すように、メモリカードには、タイプAからタイプEまでの５種類のメモリカードが存在し、それぞれ異なる特性を有する。各種のメモリカードの概略を説明する。なお、以降の説明では、種別がＸ（Ｘ＝Ａ、Ｂ、Ｃ、Ｄ、Ｅ）のメモリカードを「メモリカードＸ」と表記する。
【００２７】
メモリカードA（２）は、大容量化に対応していない従来のメモリカードであり、カード容量や最小アクセス単位、最大入力クロック数、電流値等のメモリカードの物理的な特性を示す情報を格納するカード情報格納部２２と、従来のアクセス装置でアクセス可能な容量の上限以下の容量を持つ記録領域２１とを含む。
【００２８】
メモリカードB（３）、メモリカードC（４）、メモリカードD（５）、メモリカードE（６）はいずれも大容量化に対応した次世代のメモリカードであり、各々従来のアクセス装置がアクセス可能な上限容量を超える大容量の領域の大きさを表現できる１つ以上のカード情報格納部と、１つ以上の記録領域とを含む。
【００２９】
さらに、次世代のメモリカードＢ〜Ｅ（３〜６）はそれぞれステート格納部３３、４４、５５、６６を含む。ステート格納部３３、４４、５５、６６は、メモリカードの種別、状態を一意に判別可能なステートを格納しており、本発明の特徴的な構成要素である。また、メモリカードＢ〜Ｅ（３〜６）のそれぞれは、それぞれのカードが取り得るステートの数だけカード情報格納部３２、４２、…を含む。カード情報格納部３２、４２、…は、各ステートに応じた、カード容量、最小アクセス単位、最大入力クロック数、電流値等のメモリカードの物理的な特性を示す情報を格納する。
【００３０】
このように、メモリカードＢ〜Ｅはステート格納部３３、４４、５５、６６を有する。アクセス装置１はこのステート格納部３３、４４、５５、６６に格納されたステートを用いてメモリカードの種別、状態を判別し、ステートに依存して、実行すべき処理を切り替える。これらメモリカードとアクセス装置の組み合わせにより、各メモリカードの種別、状態に応じた適切な処理をユーザに提供することが可能となる。
【００３１】
また、メモリカードＣ〜Ｅ（４〜６）は、複数のカード情報格納部のうちの有効なカード情報格納部を指定する情報を所定の管理情報領域（レジスタ等）に格納しており、メモリカードＣ〜Ｅ（４〜６）はその管理情報領域の値を参照することで、複数のカード情報格納部のうちの有効な１つのカード情報格納部を認識できる。なお、管理情報領域には、一般的にメモリカードの制御に必要な種々の管理情報が格納される。
【００３２】
図２から図９を用いてタイプB〜Eのメモリカード２〜６の詳細について説明する。なお、メモリカードA（２）は従来のメモリカードであり、以下の説明では、従来のアクセス装置がアクセス可能な上限容量を２ＧＢとして説明する。この値は現在のメモリカードで広く使用されているＦＡＴ１６ファイルシステムの上限容量である。
【００３３】
図２はメモリカードB（３）の一例を説明した図である。メモリカードB（３）は大容量化に対応した次世代のメモリカードであり、２ＧＢを超える大容量領域として８ＧＢの記録領域３１を備えている。また、メモリカードB（３）は、記録領域の大きさを表現可能なカード情報格納部３２を１つだけ保持しており、カード情報格納部３２はその容量として８ＧＢの値を格納している。メモリカードB（３）を本発明のアクセス装置１で使用した場合、アクセス装置１は大容量化に対応しているため、８ＧＢの全領域にアクセス可能となる。また、メモリカードB（３）を大容量化に対応していない従来のアクセス装置１００で使用した場合、容量０のカードとして認識し一切アクセスが行えない。これは従来のアクセス装置１００が誤動作により、メモリカードB（３）内に格納されたデータを破壊することを防止するための対策である。このような特徴を持つメモリカードB（３）は、１つの状態しか有さず、この状態を示す識別子として“１”がステート格納部３３に格納される。
【００３４】
図３、図４はメモリカードC（４）の一例を説明した図である。メモリカードC（４）は大容量化に対応した次世代のメモリカードであり、２ＧＢを超える大容量領域として８ＧＢの記録領域４１を備えている。また、メモリカードC（４）は、２ＧＢ以下の容量を表現するカード情報格納部１（４２）と、大容量領域の大きさを表現可能なカード情報格納部２（４３）とを保持しており、それぞれ容量として２ＧＢ、８ＧＢの値を格納している。メモリカードC（４）は、従来のメモリカードとして動作するステートと、大容量メモリカードとして動作するステートの２つのステートを有している。
【００３５】
図３は、メモリカードＣ（４）が従来のメモリカードとして動作するステートである場合を示している。この場合、カード情報格納部１（４２）が有効であり、記録領域４１の先頭２ＧＢにアクセス可能な状態となっている。一方、図４は、メモリカードＣ（４）が大容量メモリカードとして動作するステートの場合を示しており、この場合、カード情報格納部２（４３）が有効であり、記録領域４１の８ＧＢ全てにアクセス可能な状態となっている。
【００３６】
図３に示すメモリカードC（４）は、本実施形態のアクセス装置１及び従来のアクセス装置１００のいずれで使用しても記録領域４１の先頭２ＧＢのみにアクセス可能であり、両方のアクセス装置で１枚のカードを共有することが可能となる。また、図４に示すメモリカードC（４）は、アクセス装置１からは、記録領域４１の８ＧＢ全てにアクセス可能であるが、従来のアクセス装置１００からは、容量０のカードとして認識され、一切アクセスできない。これは従来のアクセス装置が誤動作により、メモリカードC（４）の大容量領域に格納されたデータを破壊することを防止するための対策である。図３の状態（ステート）を示す識別子として”２”が、図４の状態を示す識別子として”３”がメモリカードC（４）内のステート格納部４４に格納される。
【００３７】
図５、図６はメモリカードD（５）の一例を説明した図である。メモリカードDは大容量化に対応した新しいメモリカードであり、２ＧＢの記録領域１（５１）と、２ＧＢを超える大容量領域として６ＧＢの記録領域２（５２）とを備えている。また、２ＧＢ以下の容量を表現するカード情報格納部１（５３）、大容量領域の大きさを表現可能なカード情報格納部２（５４）を保持しており、それぞれ容量として２ＧＢ、６ＧＢの値を格納している。メモリカードD（５）は記録領域１（５１）を使用するステートと、記録領域２（５２）を使用するステートの２つのステートを有している。
【００３８】
図５は記録領域１（５１）を使用するステートの場合を示し、カード情報格納部１（５３）が有効であり、記録領域１（５１）の２ＧＢにアクセス可能な状態となっている。また図６は記録領域２（５２）を使用するステートの場合を示し、カード情報格納部２（５４）が有効であり、記録領域２（５２）の６ＧＢにアクセス可能な状態となっている。
【００３９】
図５のメモリカードD（５）は本実施形態のアクセス装置１と従来のアクセス装置１００のいずれで使用しても記録領域１（５１）の２ＧＢにアクセス可能であり、両方のアクセス装置で１枚のカードを共有することが可能となる。また、図６のメモリカードD（５）は本実施形態のアクセス装置１からは記録領域２（５２）の６ＧＢにアクセス可能であるが、従来のアクセス装置１００からは容量Oのカードとして認識され、一切アクセスできない。これは従来のアクセス装置が誤動作により、メモリカードD（５）の記録領域２（５２）に格納されたデータを破壊することを防止するための対策である。図５の状態を示す識別子として”４”が、図６の状態を示す識別子として”５”がメモリカードD（５）内のステート格納部５５に格納される。
【００４０】
図７、図８、図９はメモリカードE（６）の一例を説明した図である。メモリカードEは大容量化に対応した新しいメモリカードであり、２ＧＢの記録領域１（６１）と、２ＧＢを超える大容量領域として６ＧＢの記録領域２（６２）とを備えている。また、２GB以下の容量を表現するカード情報格納部１（６３）と、大容量領域の大きさを表現可能なカード情報格納部２（６４）と、カード情報格納部３（６５）とを保持しており、それぞれ、容量として２ＧＢ、６ＧＢ、８ＧＢの値を格納している。
【００４１】
メモリカードE（６）は記録領域１（６１）を使用するステート、記録領域２（６２）を使用するステート、記録領域１（６１）と記録領域２（６２）の両方を同時に使用するステートの３つのステートを有している。
【００４２】
図７は記録領域１（６１）を使用するステートの場合を示し、カード情報格納部１（６３）が有効で、記録領域１（６１）の２ＧＢにアクセス可能な状態となっている。図８は記録領域２〈６２）を使用するステートの場合であり、カード情報格納部２（６４）が有効で記録領域２（６２）の６ＧＢにアクセス可能な状態となっている。図９は記録領域１（６１）と記録領域２（６２）の両方を同時に使用するステートの場合であり、カード情報格納部３（６５）が有効で、記録領域１（６１）及び記録領域２（６２）の合計８ＧＢの領域全てにアクセス可能な状態となっている。また、このステートで使用する場合、８ＧＢは連続したアドレス空間上に存在する領域であり、１種類のファイルシステムにより８ＧＢ全てが一括管理されている。
【００４３】
図７のメモリカードE（６）は本発明のアクセス装置１と従来のアクセス装置１００のいずれで使用しても記録領域１（６１）の２ＧＢにアクセス可能であり、両方のアクセス装置で１枚のカードを共有することが可能となる。
【００４４】
また図８のメモリカードE（６）は本発明のアクセス装置１からは記録領域２（６２）の６ＧＢにアクセス可能であるが、従来のアクセス装置１００からは容量Oのカードとして認識され、一切アクセスできない。これは従来のアクセス装置が誤動作により、メモリカードE（６）の記録領域２（６２）に格納されたデータを破壊することを防止するための対策である。
【００４５】
同様に図９のメモリカードE（６）は、本発明のアクセス装置１からは記録領域１（６１）と記録領域２（６２）の合計８ＧＢの領域全てにアクセス可能であるが、従来のアクセス装置１００からは容量０のカードとして認識され、一切アクセスできない。
【００４６】
図７の状態を示す識別子として“６”が、図８の状態を示す識別子として“７”が、図９の状態を示す識別子として“８”がメモリカードE（６）内のステート格納部６６に格納される。
【００４７】
このようにメモリカードの種別はメモリカードAからメモリカードEまでの５種類が存在する。各種別のメモリカードは１つ以上の状態を取り得る場合がある。本発明ではこのカード種別と状態の組み合わせを一意に判別可能とするために、従来のメモリカードAを除く、他の４種類のメモリカード３〜６にステート格納部３３、４４、５５、６６を設け、その中に判別するための識別子としてステートの値を格納する。
【００４８】
このステートはカード種別と状態の組み合わせに対して一意に割り当てられる。例えば図５、図７にそれぞれ示すカードのように、従来のアクセス装置１００から２ＧＢの領域にアクセス可能となる同様のカード状態を持つ場合でも、カード種別が異なるため、それらのカードに対して“４”、“６”という異なるステートが割り当てられる。これにより、アクセス装置１は同様のカード状態であってもカード種別を一意に判別することが可能であり、カード種別に応じた適切な処理をユーザに提供することが可能である。
【００４９】
また、従来のメモリカードであるメモリカードAはステート格納部を有していないが、本実施形態のアクセス装置１は、メモリカードＡからはステートを取得する際に正常に取得できないため、メモリカードＡを他の種類のメモリカードと判別することは可能である。
【００５０】
＜アクセス装置＞
次に本発明のアクセス装置１の動作について図１０から図１３を用いて説明する。
【００５１】
最初に図１０を用いて本発明のアクセス装置１における基本動作フローを説明する。アクセス装置１にＡ〜Ｅのいずれかのタイプのメモリカードが挿入されると、メモリカードが挿入されたことを示す割り込み信号がカードスロット１１からメイン処理部１５に通知され、メイン処理部１５にてカードの初期化処理が実行される（Ｓ１００１）。カード初期化処理は、メモリカードがアクセス装置１からのリード／ライトコマンドを受付可能な状態にするための前処理を行う。カード初期化処理は、例えば、メモリカードに対する初期化コマンドの発行、有効なカード情報格納部２２、３２、…に存在するレジスタの値の取得、メモリカードの固有ＩＤの取得、記録領域のサイズの取得等の処理を含む。
【００５２】
次にアクセス装置１のステート判定部１４は、メモリカードのステート格納部３３、４４、…に格納されているステートを取得し（Ｓ１００２）、メモリカードの種別、ステートを判定する。ここで、ステート格納部を有する種別Ｂ、Ｃ、Ｄ、Ｅのメモリカード３、４、５、６は、アクセス装置１からのステート取得要求に応答して、ステート格納部３３、４４、…に格納しているステートの情報をアクセス装置１に通知する。アクセス装置１はステート情報に基づいてステート判定部１４により、挿入されたメモリカードの種別及びステートを判定する。種別Ａのメモリカード２はステート格納部を有しないため、アクセス装置１からステート取得要求を受けても、そのステート取得要求を解釈できず、アクセス装置１にエラーを通知する。アクセス装置１のステート判定部１４は、ステート取得要求に対してエラー応答を受信したことにより、種別Ａのメモリカード２が挿入されたと判定する。
【００５３】
カード初期化、ステート取得が完了すると、アクセス装置１はメモリカードに対するアクセスの準備を完了し、操作部１２への入力待ちの状態となる（S１００３）。
【００５４】
ユーザによる入力を操作部１２上で検出するとメイン処理部１５に割り込み信号が入り、メイン処理部１５はユーザが入力した命令の種別を判定する（Ｓ１００４）。入力された命令が終了命令であった場合（Ｓ１００５でＹｅｓ）、メモリ退避等の必要な終了処理を実行し、アクセス装置１の電源を遮断する。
【００５５】
入力された命令が終了命令でない場合（Ｓ１００５でＮｏ）、入力された命令が、ステート毎に異なる処理を行うステート依存処理を指示する命令であるか否かを判定する（Ｓ１００６）。
【００５６】
ステート依存処理であった場合（Ｓ１００６でＹｅｓ）、ステート依存処理部１６によりステート依存処理を行う（Ｓ１００７）。ステート依存処理部１６は、ステート判定部１４のステート判定結果を参照し、メモリカードの種別やステートに応じて実行内容が異なるステート依存処理を実行する。つまり、メモリカードのステートに応じて、アクセス装置１で表示される画面や、出力されるコマンドが異なる。
【００５７】
ステート依存処理でなかった場合（Ｓ１００６でＮｏ）、またはステート依存処理の終了後に、メイン処理部１５は、メモリカードの種別に依存しない共通の処理（メイン処理）を実行する（S１００８）。メイン処理が完了するとメイン処理部１５は再度ユーザからの入力待ちの状態に戻る。
【００５８】
図１０の基本動作フローにおいて、ステート取得（Ｓ１００２）、ステート依存処理（Ｓ１００７）が本発明の特徴を表す処理である。本発明のアクセス装置１は、メモリカードがアクセス装置１に挿入された後、メモリカードに対してステート取得を行い、取得したステートに基づき、必要に応じて、実行する処理の内容を変更する。これにより、各メモリカードの種別、状態に応じてアクセス装置の処理を変更し、各メモリカードに適した処理をユーザに提供することが可能となる。
【００５９】
次に図１１、図１２を用いて、本発明のアクセス装置１によるステート依存処理の具体的な例について説明する。
【００６０】
図１１はステート判定部１４が保持するステート一覧表の一例を示した図である。ステート判定部１４は図１１に示すようなステート一覧表を保持しており、メモリカードからステートを取得し、保持した後、この一覧表を参照して、取得したステートが持つ意味を判定する。ステート一覧表には、メモリカードの種別とステートを一意に識別可能とする情報であるステート、メモリカードの種別、メモリカード内のアクセス可能な領域を示すアクセス領域、アクセス可能な領域の容量、各タイプのカードに許されるステートの数、ステート切り替え時にフォーマットが必要か否かを示す情報、及び、ファイルシステムの種別が格納されている。
【００６１】
一覧表を参照すると、例えば、ステート“５”のメモリカードは、種別がＤで、アクセス可能な領域が記録領域２であり、容量が２ＧＢを超える大容量で、有する全ステート数は２つであり、ステート切り替え時にフオーマットは不要であり、ファイルシステムはＦＡＴ３２を使用する、メモリカードであることを示している。このようにステート判定部１４がステート一覧表を有することにより、各メモリカードから取得したステートを元に、挿入されたメモリカードの種別、状態を把握することが可能となる。
【００６２】
図１１のステート一覧表をステート判定部１４が有していることを踏まえ、図１２を用いて領域切り替え時の処理の具体例を説明する。図１２では、種別Ｅのメモリカード６のステートを“６”から“８”に切り替える場合の例を説明する。
【００６３】
領域切り替えの処理手順として、ユーザにより、アクセス装置１の操作部１２を操作し、表示部１３に表示されているメニューリストから「３．初期設定」、「４．領域切り替え」を順次選択されたとする。この操作により、メモリカードE（６）の領域切り替えを実行するためのメニュー画面が表示部１３上に表示される。
【００６４】
「領域切り替え」に関する処理はステートに依存した処理である。このため、ステート依存処理部１６はステート判定部１４から現在のメモリカードのステートに関する情報を取得する。ステート判定部１４はメモリカードから取得したステートとステート一覧表を元に、ステートに関する情報をステート依存処理部１６に通知する。図１２の例では、ステート判定部１４は、メモリカードE（６）のステート“６”をメモリカードから取得しており、図１１のステート一覧表を参照し、カード種別やアクセス領域に関する情報等をステート依存処理部１６に通知する。ステート依存処理部１６は、ステート判定部１４からの情報に基づいて、現在挿入されているメモリカードの種別が”E”であり、ステートが“６”であることを認識する。また、ステート依存処理部１６は、カードのステート数が３であることから、このメモリカードは３つの状態に切り替え可能であることを認識する。
【００６５】
次にステート依存処理部１６は、現在のステート以外の残りの２つのステートに関する情報をステート判定部１４より取得して、領域切り替え可能な領域である３つの領域を表示部１３に表示し、ユーザに領域切り替え先の選択を促す（図１２参照）。また、ステート“６”からステート“８”に切り替える場合はフォーマットが必要であることから（図１１参照）、ユーザにより領域切り替えの実行が選択されたときは、ユーザに対して領域切り替えと共にフォーマットが発生することを、表示部１３を介して通知する。ユーザがフォーマットしても良いと判断し、領域切り替え、フォーマットの実行を許可する旨を操作部１２に入力すると、領域切り替え、フォーマット処理が実行される。
【００６６】
このように図１２の例では、本発明のアクセス装置１のメモリカードの種別、状態を判別して、領域切り替え可能な領域の数や情報をユーザに通知する。また領域切り替え時にフォーマットが必要か否かを判定し、ユーザに適切なメッセージを表示する。これにより、領域切り替え時においてユーザに必要な情報、選択肢を提供し、ユーザにとって自由度の高い領域切り替え処理を実現することが可能となる。
【００６７】
また、図１２の例では、３つの領域を表示する際に、各領域の容量とファイルシステムの種別を表示している。しかし、図１１のステート一覧表には各領域の正確な容量が格納されていない。このため、アクセス装置１はメモリカードに対し、別途、各領域の容量を問い合わせて取得し、表示している。
【００６８】
このようにステート一覧表はステートに関連する一般的な情報のみを格納しているため、同一ステートであっても異なる可能性のある情報については、メモリカードから直接取得し、ステート一覧表に格納された情報と組み合わせてユーザに表示するのが好ましい。
【００６９】
次に図１３を用いて、アクセス装置１によるステート依存処理の別の具体例について説明する。ここでは、静止画を撮影し、撮影した静止画データをメモリカードに記録する例を説明する。
【００７０】
アクセス装置１の操作部１２を介して、ユーザによる静止画撮影の開始指示を入力する（S１３０１）。次にアクセス装置１のメイン処理部１５は静止画撮影の前処理として、メモリカード内に空き領域が存在するか判定する（S１３０２）。
【００７１】
空き領域が存在する場合、メイン処理部１５は静止画撮影を実行し、メモリカードに静止画データを記録して処理を終了する（S１３０３）。
【００７２】
空き領域が存在しない場合、メイン処理部１５は領域切り替えが可能か否かを判定する（Ｓ１３０４）。この判定はステート依存処理部１６からの情報に基づいて行われる。具体的には、この判定は、メモリカードが排他的に使用される２つの記録領域を有し、それらの領域間で切替えが可能なメモリカードであるか否かを判断することで行われる。例えば、図１１を参照し、メモリカードＤにおいてステート“４”からステート“５”に切り替える場合や、メモリカードＥにおいてステート“６”からステート“７”に切り替える場合は、領域切替えが可能であると判断される。
【００７３】
領域切り替えが可能な場合、ユーザに対して現在の記録領域に空き領域が存在しない旨と、領域切り替えが可能なメモリカードである旨を表示部１３に表示し（S１３０５）、ユーザに記録領域の切り替えを促す。ユーザが領域切り替えを選択した場合、メモリカード上の記録領域とステートを切り替え、静止画撮影を実行する。ユーザが領域切り替えを選択しなかった場合、静止画を記録する十分な空き領域が存在しないため、静止画撮影を中止し、処理を終了する。
【００７４】
また、領域切り替えが不可能な場合、静止画を記録する十分な空き領域が存在しないため、ユーザに空き領域不足を通知し、処理を終了する（S１３０６）。
【００７５】
このように図１３の例では、静止画撮影時に空き領域が不足した場合に、メモリカードの種別、状態を判別し、領域切り替え可能なメモリカードの場合は、ユーザに領域切り替えを促し、静止画撮影を継続する。これにより、メモリカードに対するデータ記録時に空き領域が不足しても、領域切り替えという空き領域不足を解消するための手段をユーザに提供し、データ記録を継続することでユーザ利便性を高めることが可能となる。また、図１３の例では、静止画撮影中にユーザに領域切り替えを促す方法について説明したが、自動的に領域を切り替えるようにしても良い。特にデータ記録中に領域切り替えを手動で行った場合、切り替えの間、データが記録できないため、特に動画撮影等の連続記録が必要な場合に自動的に領域切り替えを行うと更に効果的である。
【００７６】
以上のように、本発明のメモリカードはカードの種別、状態等を一意に判別可能なステートを格納するステート格納部を有し、アクセス装置がステートを取得できるようにする。更にアクセス装置はステート判定部、ステート依存処理部を有し、メモリカードから取得したステートを判定し、ステートに応じて処理内容を変更する。このようなメモリカードとアクセス装置を組み合わせることにより、各メモリカードに応じた適切な処理をユーザに提供することが可能となる。
【００７７】
尚、本実施の形態では、ステート取得に専用コマンドを用いて実施する場合について記載したが、カード情報格納部のレジスタに含まれる空きビットを利用して、ステートを格納し、カード情報格納部のレジスタ値を取得するコマンドを使用して実現しても良い。
【００７８】
また、カード情報格納部のレジスタに記載されているカードのバージョン番号を利用してステート格納部の有無を判定しても良い。例えば、メモリカードAのような従来のメモリカードのバージョン番号を“１．０”と、メモリカードBからメモリカードEのようなステート格納部を有する次世代のメモリカードのバージョン番号を“２．０”となるように設定する。これにより、バージョン番号を参照することでステート格納部の有無判定ができる。
【００７９】
また、図１１で記載したステート一覧表の項目は一例であり、ステート依存処理部が必要とするステートに依存した情報を格納していれば、必ずしも図１１の全項目が含まれる必要はなく、更に別の項目を追加しても良い。また、ステート格納部を有するメモリカードとして、種別Bから種別Eまでの４種類のメモリカードについて記載したが、必ずしもこれら４種類全てのメモリカードに対しステートを割り当てる必要はなく、少なくとも１種類のメモリカードに対してステートを割り当てれば良い。また、ステート格納部を有する他の種類のメモリカードを追加しても良い。
【００８０】
（実施の形態２）
図１４は本発明の実施の形態２におけるメモリカード及びアクセス装置の構成図である。図１４において図１と異なる点は、メモリカードBからメモリカードEが、カード情報格納部に対応して設けられた性能情報格納部３４、４５、４６、…をさらに含む点である。また、本実施形態のメモリカードは、有効な性能情報格納部を指定する情報を管理情報領域内に保持している。
【００８１】
複数のステートを有するメモリカードは、ステートが変更されると、アクセス可能な領域長が変化し、同時にリード／ライト性能などのアクセス性能が変化する場合がある。そこで、本実施形態では、ステート格納部を有するメモリカードに更に性能情報格納部を設け、ステートの切り替えと同時に有効な性能情報格納部を切り替え、現在のステートにおける性能情報を変化させることを特徴とする。
【００８２】
図１５は性能情報格納部３４、４５、４６、…に格納される性能情報の一例を示す図である。図１５の例では、処理内容としてリード、ライト、イレースの３種類の処理について、また、入力クロックとして１２．５MHz、２５MHz、５０MHzの３種類の条件について、各々の組合せにおける性能値を表形式で記載している。例えば２５MHzの入カクロックをメモリカードに入力し、１６KB単位でライトする場合のアクセス性能は、Ｔａｂｌｅ２−Ｂの２行目を参照し、シーケンシャルアクセス時に標準で６MB／sec、ランダムアクセス時に０．７MB／secであることが分かる。
【００８３】
このようにアクセス装置１が性能情報格納部３４、…に格納された性能情報を参照することで、各条件下でメモリカードにアクセスした際のアクセス性能を把握することが可能となる。しかしながら、このアクセス性能はメモリカードが複数のステートを有する場合に、全てのステートで同一の性能になるとは限らず、ステート毎にアクセス性能が変化する可能性がある。そのため本実施形態ではステートの切り替えと同時に有効な性能情報格納部を切り替え、現在のステートにおける性能情報を変化させる。このように性能情報格納部を切り替えることにより、各ステートに応じたアクセス性能をアクセス装置が取得することが可能となり、各ステートに応じて処理内容を変更することが可能となる。
【００８４】
図１６に、処理内容の変更に関する一例を示す。図１６（a）は、ステートが”６”のメモリカードＥにおける記録モードの設定画面を、図１６（b）は、ステートが“８”のメモリカードEにおける記録モードの設定画面を示す。
【００８５】
図１６に示す記録モードの設定画面は、ユーザが動画撮影時の記録画質を選択するときに表示される画面である。記録画質の選択肢としては、“エコノミー”、“ノーマル”、“ファイン”、“スーパーファイン”の４種類があり、後者になる程、動画データの記録ビットレートが高くなり、より高画質で動画データを記録することが可能となる。
【００８６】
本例では、メモリカードEにおいてステート“６”よりもステート“８”のときの方がより高速にデータを記録することが可能であると仮定する。この場合、メモリカードEのステート“６”に対応する図１６（a）では、低速なデータ記録しかできないため、記録ビットレートが低い“エコノミー”、“ノーマル”のみが選択可能であり、“ファイン”、“スーパーファイン”は選択することができないように表示がなされる。一方、メモリカードEのステート“８”に対応する図１６（b）では、低速に加えて高速なデータ記録も可能であるため、全ての記録モードが選択可能となるように表示がなされる。このように、各ステートのアクセス性能をアクセス装置が取得できるようにすることで、アクセス装置において各ステートに応じて処理内容を変更することが可能となる。
【００８７】
図１６では、アクセス装置がステートと一対一に対応する性能情報のみを取得する場合の例について説明したが、アクセス装置がステートに関わらず、全ステートにおける性能情報を一括して取得するようにしてもよい。図１７を用いて、性能情報を一括して取得する場合の例を説明する。
【００８８】
図１７は、図１２と同様の、領域切り替え処理のために表示される領域切り替え画面である。図１７の画面が図１２の画面と異なる点は、各領域に対して許される録画可能モードを表示している点である。アクセス装置１は図１７の領域切り替え画面を表示する際に、メモリカードの全ての性能情報格納部から性能情報を取得する。性能情報の一括取得においては、１つのコマンドで全性能情報をリスト形式で取得しても良いし、１つの性能情報を取得するコマンドを複数回実行することで取得しても良い。取得した性能情報に基づいて、各ステートにおいてサポート可能な録画可能モードを決定し、決定した録画モードの名称を領域切り替え画面に表示する。このように使用可能な録画可能モードの名称を領域切り替え前に表示することにより、ユーザは領域切り替え後に使用可能な録画モード予め認識することが可能であり、領域選択の一つの指標として役立てることができる。
【００８９】
以上のように、本発明のメモリカードはカードの種別、状態等を一意に判別可能なステートを格納するステート格納部に加えてさらに、各ステートに応じたメモリカードの性能情報を格納する性能情報格納部を有し、ステートの切り替えと同時に有効な性能情報格納部を切り替え、現在のステートにおける性能情報を変化させる。このように性能情報格納部を切り替えることにより、各ステートに応じたアクセス性能をアクセス装置が取得することが可能となり、各ステートに応じて処理内容を変更することが可能となる。
【００９０】
なお、図１５で記載した性能情報は一例であり、単位時間当たりのデータ転送量や、単位データ量の転送に必要な処理時間等、各ステートに応じて変化するメモリカードのアクセス性能を示す値であれば、別の表現方法を用いても良い。また、アクセス性能を直接的に表現する値を格納するのではなく、特定のアクセス性能を示すフラグを格納しても良い。例えば、入力クロック２５MHz、アクセス単位１６KBと仮定した場合のライト性能値が２MB／sec以上のカードを‘‘クラス１”、４MB／sec以上のカードを“クラス２”と定め、“クラス１”、“クラス２”を識別するフラグを性能情報格納部に格納しても良い。更に、性能情報格納部３４、…に格納する情報量が少ない場合、性能情報を格納する領域としてカード情報格納部３２、…の一部の領域を使用することも可能である。
【００９１】
また、上記の各実施形態では、メモリカードの種別、状態を示す情報は、メモリカード内の所定の領域であるステート格納部に格納され、ステート格納部からアクセス装置１に供給される例を説明したが、このステート格納部を物理スイッチで構成してもよい。つまり、メモリカードの種別、状態を示す情報を、メモリカードに物理的に設けられたスイッチにより切り替えられるようにしてもよい。メモリカードは物理スイッチの状態に基づいてステートの情報をアクセス装置に送り、また、有効なカード情報格納部を認識する。物理スイッチは、複数の状態を切り換えられるものであればよく、ダイヤル式スイッチ、スライド式スイッチ、ディップスイッチ等を含む。例えば、図１８に示すようなディップスイッチ１９０をメモリカード外部に設け、ステートの値を切り替えられるようにしてもよい。
【００９２】
図１９は、物理スイッチによりステート切り替えを行うメモリカードであってタイプＤのものについての「領域切り替え」画面の表示例を示した図である。物理スイッチによりステート切り替えを行う場合は、このように、手動によるスイッチの切り替え設定を行う必要がある旨をユーザに通知する必要がある。メモリカードＤは物理スイッチの設定に基づきステートを認識し、有効なカード情報格納部を指定する情報を書き換えるとともに、アクセス装置１に対して物理スイッチの設定に基づいたステート情報を送信する。アクセス装置１は、物理スイッチの設定に基づいてメモリカードから送信されたステートの情報に基づいて、メモリカードのステートを認識する。なお、メモリカードの種別がタイプＣ、Ｅの場合、領域切り替えにより新たにフォーマットが生じる場合がある。この場合、物理スイッチの設定と、メモリカード内部の設定との間で不整合が生じるおそれがあるので、アクセス装置１は、物理スイッチの設定と、メモリカード内部の設定（情報）との間で不整合を検出したときは、その旨をユーザに通知するとともに、物理スイッチの設定に合致するよう、メモリカード内部の設定を書き換えるようにするのが好ましい。
【産業上の利用可能性】
【００９３】
本発明に係る情報記録媒体及びアクセス装置は、メモリカードのような情報記録媒体の種別、状態を一意に判別可能な識別子を情報記録媒体内に格納し、アクセス装置が識別子を取得して情報記録媒体の種別、状態に応じて処理内容を変更することにより、各メモリカードに応じた適切な処理をユーザに提供することが可能となる。よって、本発明は、音楽コンテンツや動画コンテンツ等のデジタルデータを格納する記録媒体や、デジタルスチルカメラや携帯電話端末、メモリカードムービー、オーディオプレーヤ、ＰＣ、ＰＤＡ等の技術分野に利用できる。
【００９４】
本発明は、特定の実施形態について説明されてきたが、当業者にとっては他の多くの変形例、修正、他の利用が明らかである。それゆえ、本発明は、ここでの特定の開示に限定されず、添付の請求の範囲によってのみ限定され得る。なお、本出願は日本国特許出願、特願２００４−１２７８１３号（２００４年４月２３日提出）に関連し、それらの内容は参照することにより本文中に組み入れられる。
【図面の簡単な説明】
【００９５】
【図１】本発明の実施の形態１におけるメモリカード、及びアクセス装置の実施方法を示した図
【図２】本発明の実施の形態１におけるメモリカードB（ステート“１”）の一例を示した図
【図３】本発明の実施の形態１におけるメモリカードC（ステート“２”）の一例を示した図
【図４】本発明の実施の形態１におけるメモリカードC（ステート“３”）の一例を示した図
【図５】本発明の実施の形態１におけるメモリカードD（ステート“４”）の一例を示した図
【図６】本発明の実施の形態１におけるメモリカードD（ステート“５”）の一例を示した図
【図７】本発明の実施の形態１におけるメモリカードE（ステート“６”）の一例を示した図
【図８】本発明の実施の形態１におけるメモリカードE（ステート“７”）の一例を示した図
【図９】本発明の実施の形態１・におけるメモリカードE（ステート“８”）の一例を，示した図
【図１０】本発明の実施の形態１におけるアクセス装置の基本動作フローを示したフローチャート
【図１１】本発明の実施の形態１におけるステート一覧表の一例を示した図
【図１２】本発明の実施の形態１における領域切り替え処理の一例を示した図
【図１３】本発明の実施の形態１における静止画撮影処理の一例を示したフローチャート
【図１４】本発明の実施の形態２におけるメモリカード、及びアクセス装置の実施方法を示した図
【図１５】本発明の実施の形態２における性能情報の一例を示した図
【図１６】本発明の実施の形態２における記録モード設定処理の一例を示した図
【図１７】本発明の実施の形態２における領域切り替え処理の一例を示した図
【図１８】物理スイッチを設けたメモリカードを示す図
【図１９】物理スイッチによりメモリカードのステートが切り替えられる場合の領域切り替え処理の一例を示した図
【符号の説明】
【００９６】
１  アクセス装置
２，３，４，５，６  メモリカード
１１    カードスロット
１２  操作部
１３  表示部
１４  ステート判定部
１５  メイン処理部
１６  ステート依存処理部
２１，３１，４１，５１，５２，６１，６２  記録領域
２２，３２，４２，４３，５３，５４，６３，６４，６５  カード情報格納部
３３，４４，５５，６６    ステート格納部
３４，４５，４６，５６，５７，６７，６８，６９  性能情報格納部
１９０  物理スイッチ
【図１】
0004679512.tif 000002
【図２】
0004679512.tif 000003
【図３】
0004679512.tif 000004
【図４】
0004679512.tif 000005
【図５】
0004679512.tif 000006
【図６】
0004679512.tif 000007
【図７】
0004679512.tif 000008
【図８】
0004679512.tif 000009
【図９】
0004679512.tif 000010
【図１０】
0004679512.tif 000011
【図１１】
0004679512.tif 000012
【図１２】
0004679512.tif 000013
【図１３】
0004679512.tif 000014
【図１４】
0004679512.tif 000015
【図１５】
0004679512.tif 000016
【図１６】
0004679512.tif 000017
【図１７】
0004679512.tif 000018
【図１８】
0004679512.tif 000019
【図１９】
0004679512.tif 000020